(57)【要約】【課題】改修工事期間を短縮し、生産効率を確保することが可能な電気集塵機の改修工法を提供する。【解決手段】交換すべき旧来の電気集塵機本体１を台車２で支持し、当該旧来の電気集塵機本体１をガス流路から切り離すと共に当該旧来の電気集塵機本体１の脚部３を設置箇所から切り離し、台車２に支持された脚部３付きの旧来の電気集塵機本体１を設置箇所から移動し、脚部３が取付けられ且つ台車２に支持された新規の電気集塵機本体１を設置箇所に移動し、当該新規の電気集塵機本体１の脚部３を設置箇所に接続すると共に当該新規の電気集塵機本体１をガス流路に接続し、当該新規の電気集塵機本体１を支持していた台車２を電気集塵機本体の設置箇所から移動する。【選択図】図１
2010194467.tif 000002
【特許請求の範囲】
【請求項１】
交換すべき旧来の電気集塵機本体を台車で支持し、当該旧来の電気集塵機本体をガス流路から切り離すと共に当該旧来の電気集塵機本体の脚部を設置箇所から切り離し、台車に支持された脚部付きの旧来の電気集塵機本体を設置箇所から移動し、脚部が取付けられ且つ台車に支持された新規の電気集塵機本体を設置箇所に移動し、当該新規の電気集塵機本体の脚部を設置箇所に接続すると共に当該新規の電気集塵機本体をガス流路に接続し、当該新規の電気集塵機本体を支持していた台車を電気集塵機本体の設置箇所から移動することを特徴とする電気集塵機の改修工法。
【請求項２】
前記台車は、多数の車輪を有し且つ全ての車輪が転舵可能であり、且つ全ての車輪上にシリンダを有し且つシリンダ上の支持物の高さを調整可能な重量物搬送用の自走型台車であることを特徴とする請求項１に記載の電気集塵機の改修工法。
【発明の詳細な説明】
【技術分野】
【０００１】
本発明は、製鉄所で用いられる電気集塵機の改修工法に関し、例えば焼結工程で用いられる電気集塵機の改修工法に好適なものである。
【背景技術】
【０００２】
鉱石の粉鉱を焼結する焼結工程では、電気集塵機を排ガス流路に接続し、焼結工程で発生する排ガス中のダストを集塵している。この排ガス中には、多量のＳＯｘ分が存在するため、長年の使用で集塵機本体や内部電極部品などの腐食損傷が顕著になり、改修する必要が生じる。このような場合、従来は、大型重機を用いて、電気集塵機本体の構成部品を設置箇所で部品毎に分解し、その後、下記特許文献１に記載される例のように、新たな電気集塵機本体の部品を設置箇所で組上げていく工法が用いられている。
【先行技術文献】
【特許文献】
【０００３】
【特許文献１】特開昭６０−７８６５５号公報
【発明の概要】
【発明が解決しようとする課題】
【０００４】
しかしながら、電気集塵機本体を設置箇所で分解し、設置箇所で組上げる従来の電気集塵機の改修工法では、改修工事の期間が長く、その間、電気集塵機を使用できないことから、生産効率が低減するという問題がある。
本発明は、上記のような問題点に着目してなされたものであり、改修工事期間を短縮し、生産効率を確保することが可能な電気集塵機の改修工法を提供することを目的とするものである。
【課題を解決するための手段】
【０００５】
上記課題を解決するために、本発明の電気集塵機の改修工法は、交換すべき旧来の電気集塵機本体を台車で支持し、当該旧来の電気集塵機本体をガス流路から切り離すと共に当該旧来の電気集塵機本体の脚部を設置箇所から切り離し、台車に支持された脚部付きの旧来の電気集塵機本体を設置箇所から移動し、脚部が取付けられ且つ台車に支持された新規の電気集塵機本体を設置箇所に移動し、当該新規の電気集塵機本体の脚部を設置箇所に接続すると共に当該新規の電気集塵機本体をガス流路に接続し、当該新規の電気集塵機本体を支持していた台車を電気集塵機本体の設置箇所から移動することを特徴とするものである。
また、前記台車は、多数の車輪を有し且つ全ての車輪が転舵可能であり、且つ全ての車輪上にシリンダを有し且つシリンダ上の支持物の高さを調整可能な重量物搬送用の自走型台車であることを特徴とするものである。
【発明の効果】
【０００６】
而して、本発明の電気集塵機の改修工法によれば、電気集塵機本体を設置箇所で分解したり、電気集塵機本体を設置箇所で組上げたりする必要のないことから、改修工事の期間を短縮することができ、もって生産効率を確保することができる。
【図面の簡単な説明】
【０００７】
【図１】本発明の電気集塵機の改修工法の一実施形態を示す説明図であり、（ａ）は正面図、（ｂ）は右側面図、（ｃ）は平面図である。
【図２】図１の電気集塵機の改修工法の手順の説明図である。
【図３】従来の電気集塵機の改修工法の手順の説明図である。
【図４】図１の電気集塵機の改修工法の作用の説明図である。
【発明を実施するための形態】
【０００８】
次に、本発明の電気集塵機の改修工法の一実施形態について図面を参照しながら説明する。
図１は、本実施形態の電気集塵機の改修工法において、交換すべき旧来の電気集塵機本体１の下方に台車２を設置した状態、又は脚部３が取付けられ且つ台車２に支持された新規の電気集塵機本体１を設置箇所に移動した状態を示したものである。なお、図１ｂでは、電気集塵機本体１を省略している。
電気集塵機本体１は、脚部３を介して設置箇所に接続設置されている。この電気集塵機本体１は、製鉄所の焼結工程の排ガス流路に介装接続されており、焼結工程の排ガス中のダストを集塵する。具体的には、図１ａの電気集塵機本体１の図示左方に、図２に示す焼結設備１０が入側接続管４を介して接続され、電気集塵機本体１の図示右方に俳風設備１１が出側接続管５を介して接続されている。
【０００９】
台車２は、例えば高炉の改修工事などで鉄皮を運ぶのに使用される重量物搬送用の自走型台車である。この台車２は、一般にドーリー台車と呼ばれるものであり、多数の車輪を有し且つ全ての車輪を同期して転舵することができる。また、各車輪の上にはシリンダが配設されており、支持物の高さを自在に調整することができる。本実施形態では、移動する電気集塵機本体１が大きいので、４台の台車２を用いている。台車２の車輪は全て転舵可能であるので、例えば図１ｃに示すように、台車２を脚部３の下方に斜めに入れ、その後、台車２の向きを変えて図のように配列する。台車２が所定の位置に配列したら、車輪上のシリンダを伸ばして脚部３の梁６を下方から支持する。
【００１０】
図２には、電気集塵機本体１の改修（交換）手順を示す。電気集塵機本体１は大型なので、例えば図中央の設置箇所に対し、図の右下方に新規の電気集塵機本体１を予め用意し、旧来の電気集塵機本体１は図の左下方に移動する。その際、新規の電気集塵機本体１には予め脚部３を取付けておく。また、旧来の電気集塵機本体１は、脚部３が取付けられたまま移動する。
そして、例えば図１に示すように、交換すべき旧来の電気集塵機本体１の下方に台車２を設置したら電気集塵本体１を台車２で支持する。次に、入側接続管４及び出側接続管５を取り外すことによって、旧来の電気集塵機本体１を排ガス流路から切り離すと共に、旧来の電気集塵機本体１の脚部３を設置箇所（基礎）から切り離す。このようにして脚部３が取付けられたままの旧来の電気集塵機本体１を排ガス流路及び基礎から切り離したら、旧来の電気集塵機本体１を支持している台車２を設置箇所から移動する。
【００１１】
次に、前述したように脚部３が予め取付けられた新規の電気集塵機本体１を台車２に支持して設置箇所に移動し、当該新規の電気集塵機本体１の脚部３を設置箇所に接続すると共に当該新規の電気集塵機本体１に入側接続管４及び出側接続管５を接続して当該新規の電気集塵機本体１を排ガス流路に接続する。このようにして新規の電気集塵機本体１を設置箇所に接続設置し且つ排ガス流路に接続したら、当該新規の電気集塵機本体１を支持していた台車２のシリンダを下げて解放し、その台車２を電気集塵機の設置箇所から移動する。
【００１２】
図３は、従来の電気集塵機の改修工法の説明図である。この従来の電気集塵機の改修工法では、大型重機を用い、図３ａに示すように、電気集塵機本体の屋根、上部電機部品、天井板を取り外す。次に、図３ｂに示すように、電気集塵機本体内部部品を撤去する。次に、図３ｃに示すように、入側の絞りダクトを撤去し、下部コンベヤを仮受けする。次に、図３ｄに示すように、碍子室を撤去する。次に、図３ｅに示すように、冗談の側壁を取り替える。次に、図３ｆに示すように、下段の側壁を取り替える。次に、図３ｇに示すように、ホッパーを解体し、撤去する。次に、図３ｈに示すように、新規のホッパーを取付ける。次に、図３ｉに示すように、新たな碍子室を取付ける。次に、図３ｊに示すように、絞りダクト、多孔板を取付け、下部コンベヤを復旧する。次に、図３ｋに示すように、新規の内部部品を取付ける。次に、図３ｍに示すように、新規の天井板及び屋根を取付けて完了する。
【００１３】
この従来の電気集塵機の改修工法の工事期間は図４に示すように約９０日であり、その間、電気集塵機を稼動することができないので、焼結工程そのものが操業停止状態となる。一方、本実施形態の電気集塵機の改修工法の工事期間は８日である。８日の工事期間であれば、例えば夏休みなどの大型操業停止期間中に行うことができるので、焼結工程を実質的に停止する必要がなくなり、生産効率を確保することができる。
【００１４】
このように本実施形態の電気集塵機の改修工法では、交換すべき旧来の電気集塵機本体１を台車２で支持し、当該旧来の電気集塵機本体１をガス流路から切り離すと共に当該旧来の電気集塵機本体１の脚部３を設置箇所から切り離し、台車２に支持された脚部３付きの旧来の電気集塵機本体１を設置箇所から移動し、脚部３が取付けられ且つ台車２に支持された新規の電気集塵機本体１を設置箇所に移動し、当該新規の電気集塵機本体１の脚部３を設置箇所に接続すると共に当該新規の電気集塵機本体１をガス流路に接続し、当該新規の電気集塵機本体１を支持していた台車２を電気集塵機本体の設置箇所から移動することにより、電気集塵機本体を設置箇所で分解したり、電気集塵機本体を設置箇所で組上げたりする必要のないことから、改修工事の期間を短縮することができ、もって生産効率を確保することができる。
また、多数の車輪を有し且つ全ての車輪が転舵可能であり、且つ全ての車輪上にシリンダを有し且つシリンダ上の支持物の高さを調整可能な重量物搬送用の自走型台車を電気集塵機本体１の移動用の台車２に用いることにより、電気集塵機本体１の安定した移動が可能となる。
【符号の説明】
【００１５】
１は電気集塵機本体、２は台車、３は脚部、４は入側接続管、５は出側接続管、６は梁
【図１】
2010194467.tif 000003
【図２】
2010194467.tif 000004
【図３】
2010194467.tif 000005
【図４】
2010194467.tif 000006